(57)【要約】【課題】収容する展示対象物の遊動を抑制する展示器具を提供することを課題とする。【解決手段】シート状の展示対象物１０を収容して展示する展示器具１であって、前記展示対象物１０の被鑑賞面１１を支持する透明の正面板２と、前記展示対象物１０の前記被鑑賞面１１の裏側の面を支持する背面板３と、前記正面板２と前記背面板３との間に前記展示対象物１０を挟持した挟持状態において該正面板２を該背面板３に固定する固定手段４と、前記正面板２及び／又は前記背面板３の前記展示対象物１０と接する面に該展示対象物１０の滑りを抑制する滑り止め部５を有する。【選択図】図１
2008055111.tif 000002
【特許請求の範囲】
【請求項１】
シート状の展示対象物を収容して展示する展示器具であって、
前記展示対象物の被鑑賞面を支持する透明の正面板と、
前記展示対象物の前記被鑑賞面の裏側の面を支持する背面板と、
前記正面板と前記背面板との間に前記展示対象物を挟持した挟持状態において該正面板を該背面板に固定する固定手段と、
前記正面板及び／又は前記背面板の前記展示対象物と接する面に該展示対象物の滑りを抑制する滑り止め部と、を備える、
展示器具。
【請求項２】
前記滑り止め部は、
摩擦材を膜状に印刷して形成した基層と、
前記基層の上に更に摩擦材を印刷して形成した複数の突起と、を有する、
請求項１に記載の展示器具。
【請求項３】
前記滑り止め部は、前記挟持状態における前記展示対象物が鑑賞に適した状態となる所定位置に設けられている、
請求項１又は２に記載の展示器具。
【請求項４】
前記背面板は、透明な板で構成され、
前記滑り止め部は、透明の摩擦材で構成されている、
請求項１から３の何れかに記載の展示器具。
【発明の詳細な説明】
【技術分野】
【０００１】
本発明は、シート状の展示対象物を収容して展示する展示器具に関する。
【背景技術】
【０００２】
写真や絵葉書といったシート状の展示対象物を収容して展示する展示器具には、視覚効果を高めるための各種機能が施されている（例えば、特許文献１を参照。）。
【特許文献１】特開２００６−４３３３７号公報
【発明の開示】
【発明が解決しようとする課題】
【０００３】
ユーザが展示したいと考える展示対象物には、様々な大きさのものが存在する。よって、ユーザは、展示器具の展示対象物を収容する部分の大きさが展示対象物よりも大きい場合、収容した展示対象物の位置がずれないように両面テープ等で固定する必要がある。展示対象物を入れ替える度にこのような作業を強いられることは煩わしい。
【０００４】
そこで本発明は、収容する展示対象物が遊動するのを抑制する展示器具を提供することを課題とする。
【課題を解決するための手段】
【０００５】
本発明は、上述の課題を解決するため、シート状の展示対象物を収容して展示する展示器具であって、展示対象物の被鑑賞面の表側の面を支持する正面板及び／又は裏側の面を支持する背面板に該展示対象物の滑りを抑制する滑り止め部を設ける。
【０００６】
詳細には、本発明は、シート状の展示対象物を収容して展示する展示器具であって、前記展示対象物の被鑑賞面を支持する透明の正面板と、前記展示対象物の前記被鑑賞面の裏側の面を支持する背面板と、前記正面板と前記背面板との間に前記展示対象物を挟持した挟持状態において該正面板を該背面板に固定する固定手段と、前記正面板及び／又は前記背面板の前記展示対象物と接する面に該展示対象物の滑りを抑制する滑り止め部と、を備える。
【０００７】
上述の展示器具は、シート状の展示対象物を収容して展示するためのものであり、正面板と背面板と固定手段と滑り止め部とを主要な構成要素としている。シート状の展示対象物として、例えば、写真や絵葉書、ポスターといった紙媒体が挙げられる。
【０００８】
正面板は、展示対象物の被鑑賞面を支持する。正面板は透明であるため、展示対象物の被鑑賞面を支持した状態で、展示対象物の被鑑賞面を見せることが可能となる。また、背面板は、展示対象物の被鑑賞面の裏側の面を支持する。更に、固定手段は、正面板と背面板との間に展示対象物を挟持した状態において正面板を背面板に固定する。これにより、展示対象物を正面板と背面板との間に挟持した状態で保持することが可能となる。
【０００９】
ここで、正面板及び／又は背面板には、展示対象物と接する面に該展示対象物の滑りを抑制する滑り止め部が備えられている。この滑り止め部は、展示対象物と正面板及び／又は背面板との間の摩擦係数を高めるものである。これにより、展示対象物を正面板と背面板とで挟持する際に展示対象物が遊動し、展示対象物と正面板及び／又は背面板との相対的な位置関係がずれてしまうことが無くなる。また、正面板と背面板との間に展示対象物を挟持した挟持状態において、展示対象物と正面板及び／又は背面板との相対的な位置関係がずれてしまうことが無くなる。なお、この滑り止め部を正面板に設ける際は、該滑り
止め部が透明であることが好ましい。
【００１０】
以上により、本発明に係る展示器具によれば、収容する展示対象物が遊動するのを抑制することが可能になる。
【００１１】
ここで、前記滑り止め部は、摩擦材を膜状に印刷して形成した基層と、前記基層の上に更に摩擦材を印刷して形成した複数の突起と、を有するようにしてもよい。
【００１２】
展示対象物と背面板との間の摩擦係数を高める方法として、背面板の展示対象物と接する面に摩擦材を貼り付ける方法が挙げられる。また、摩擦材は、平坦になっているよりも突起を有している方が、正面板と背面板との間で展示対象物を挟持した際の保持力が高まる。ところが、平坦な背面板に突起状の摩擦材を直接貼り付けると、摩擦材が背面板から剥がれ易い。
【００１３】
そこで、本発明に係る展示器具は、背面板に摩擦材を膜状に印刷して基層を形成したのち、該基層の上に摩擦材を印刷して複数の突起を設ける。膜状に印刷された基層は、背面板との接触面積が大きいため、背面板から剥がれにくくなる。また、突起状に印刷された摩擦材は、膜状の摩擦材の上に印刷されているため容易に剥がれない。突起状の摩擦材は、例えば、基層の上に斑点状に印刷する。
【００１４】
以上により、本発明に係る展示器具によれば、収容する展示対象物が遊動するのを抑制し且つ滑り止め部が剥がれるのを抑制することが可能になる。
【００１５】
ここで、前記滑り止め部は、前記挟持状態における前記展示対象物が鑑賞に適した状態となる所定位置に設けてもよい。
【００１６】
展示器具に収容される展示対象物は、鑑賞に適した状態となる所定位置に収容されることが望ましい。しかし、展示対象物を収容する位置が何ら示されていないと、鑑賞に適した状態となる位置に収容することはやや困難となる。そこで、本発明に係る展示器具は、滑り止め部が、挟持状態における展示対象物が鑑賞に適した状態となる位置に設けられている。ユーザは、展示対象物を背面板に設けられた滑り止め部の位置に合わせるだけで、正面から見てバランスの良い位置に展示対象物を収容することが可能になる。ここで、所定位置とは、展示器具に収容された展示対象物が鑑賞に適した状態となる位置であり、例えば、正面から見て上下左右が対称となる中央部付近など、バランスの良い位置である。
【００１７】
以上により、本発明に係る展示器具によれば、収容する展示対象物が遊動するのを抑制し且つ収容する展示対象物の位置合わせを容易にすることが可能になる。
【００１８】
ここで、前記背面板は、透明な板で構成され、前記滑り止め部は、透明の摩擦材で構成してもよい。
【００１９】
背面板を透明にすると展示器具に清涼感が漂い、収容されている展示対象物の美感が高まる。そこで、本発明に係る展示器具は、背面板と滑り止め部とを透明な部材で構成する。本発明に係る展示器具によれば、正面板と背面板と滑り止め部とが透明な部材で構成されているため、収容する展示対象物の美感を高めることが可能であり、更に、表面が滑らかで摩擦係数の低い透明の背面板を採用しているにも関わらず展示対象物の滑りを抑制することが可能となる。また、滑り止め部が透明な摩擦材で構成されているため、展示対象物が滑り止め部よりも小さく、展示対象物を展示した状態において該滑り止め部が露出している場合であっても、美感が損なわれない。
【００２０】
以上により、本発明に係る展示器具によれば、収容する展示対象物が遊動するのを抑制し且つ収容する展示対象物の美感を高めることが可能となる。
【発明の効果】
【００２１】
本発明によれば、収容する展示対象物が遊動するのを抑制する展示器具を提供することが可能となる。
【発明を実施するための最良の形態】
【００２２】
以下、本発明を実施するための最良の形態を例示的に説明する。以下に示す実施形態は例示であり、本発明はこれらに限定されない。
【実施例１】
【００２３】
＜構成＞
図１は、本発明の一実施例に係る展示器具１の斜視図である。図１において示すように、本実施例に係る展示器具１は、正面板２と背面板３と固定部材４（本発明でいう、「固定手段」に相当。）とによって構成されている。また、背面板３には、滑り止め部５が設けられている。なお、本実施例において、展示器具１は、写真を展示するフォトフレームであることを前提としている。しかし、本発明に係る展示器具１に収容する展示対象物は、シート状でさえあればよく、写真以外のもの（例えば、絵葉書や切手、手紙等。）であってもよい。また、滑り止め部５は透明な材質で構成されていれば、正面板２に設けてもよい。
【００２４】
正面板２、及び背面板３は、透明なアクリル板によって構成されている。透明なアクリル板を採用することにより、展示器具１に清涼感が漂い、収容される展示対象物の美感が高まるためである。なお、本実施例においては、正面板２、及び背面板３にアクリル板を採用しているが、ガラス板等を採用してもよい。また、背面板３は、透明の部材を採用しているが、有色の部材を採用してもよい。
【００２５】
固定部材４は、雄ネジ６と雌ネジ７とによって構成されている。雄ネジ６の頭部分は、指でネジを回動させることが可能な程度の大きさを有している。また、展示器具１を起立させることが可能なように、長さの長い雌ネジ７が2本設けられている。長さの長い雌ネ
ジ７Ａが２本、展示器具１の後ろ側に突き出るように設けられていることにより、該雌ネジ７Ａが脚部の役割を果たすことになる。なお、展示器具１を壁に立てかけたり、壁にぶら下げたりする場合は、長さの短いものに変更してもよい。
【００２６】
図２において、展示器具１のＡ−Ａ断面図を示す。図２において示すように、滑り止め部５は、摩擦材を膜状に印刷して形成した基層８と、基層８の上に摩擦材を斑点状に印刷して形成した複数の突起９と、によって構成されている。摩擦材は、合成樹脂を２０〜３０％とシクロヘキサノンを５０〜６０％含有した混合物のインクで構成される。突起９を基層８の上に形成することにより、摩擦係数を高めつつ摩擦材が容易に剥がれ落ちるのを抑制することが可能になる。なお、本実施例においては、透明の摩擦材によって滑り止め部５を形成しているが、有色の摩擦材によって形成してもよい。
【００２７】
＜使用方法＞
次に、本実施例に係る展示器具１の使用方法について説明する。
【００２８】
図３は、本実施例に係る展示器具１を分解した場合の斜視図である。まず、固定部材４である雄ネジ６と雌ネジ７を外し、正面板２と背面板３とを分離する。次に、背面板３に設けられた滑り止め部５の上に写真１０（本発明でいう、「展示対象物」に相当。）を置く。次に、写真１０を挟持するように正面板２を背面板３の上に重ねる。これにより、写
真１０の被鑑賞面１１は正面板２によって支持され、写真１０の被鑑賞面１１の裏側の面は背面板３によって支持される。次に、固定部材４である雄ネジ６を正面板２の四隅にある穴１２に挿通し、雌ネジ７を締める。これにより、正面板２と背面板３との間に写真１０が挟持された状態において、正面板２が背面板３に固定される。
【００２９】
図４は、写真１０を挟持した状態における展示器具１の断面図である。図４において示すように、固定部材４の突起９が写真１０を押圧している。これにより、写真１０の滑りが抑制される。
【００３０】
＜効果＞
以上により、本展示器具１によれば、収納する写真１０の遊動を抑制することが可能になる。また、突起９が基層８の上に設けられているため、摩擦係数を高めつつ剥がれにくい滑り止め部５を形成することが可能である。また、背面板３と固定部材４が透明の部材で構成されているため、収容する写真１０の美感を高めることが可能になる。また、写真１０を固定する際に両面テープを用いる必要が無いため、写真１０を傷めることが無い。
【実施例２】
【００３１】
＜構成＞
図５は、上述した実施例１の変形例に係る展示器具５１を分解した場合の斜視図である。図５において示すように、本変形例に係る展示器具５１は、上述した実施例１と同様、正面板５２や背面板５３によって構成されている。これら正面板５２や背面板５３は、上述した実施例1に係る正面板２や背面板３と同様の構成である。本変形例に係る展示器具
５１と、上述した実施例1に係る展示器具１との相違点は、背面板５３に設けられている
滑り止め部５４である。従って、以下、滑り止め部５４についてのみ説明し、正面板５２や背面板５３についての説明を省略する。
【００３２】
本変形例に係る滑り止め部５４は、透明の摩擦材が写真１０の位置を示すように印刷されている。すなわち、滑り止め部５４が、展示器具５１に写真１０を収容した場合に鑑賞に適した状態となる所定位置（例えば、正面から見て上下左右が対称となる中央部付近など、バランスの良い位置。）を示すように、収容する写真１０と略同一の大きさである矩形の線が印刷されている。
【００３３】
なお、本変形例において、滑り止め部５４は破線によって印刷されているが、実線で印刷してもよい。また、本変形例においては、様々な大きさの写真１０に対応可能なようにするために、大きさの異なる複数の矩形の線を印刷してあるが、一つの矩形の線や、図６において示すように格子状（方眼罫）に印刷してもよい。また、本変形例においては、矩形の線で滑り止め部５４を印刷してあるが、様々な形状の展示対象物に対応するため、ひし形や丸形で構成してもよい。
【００３４】
＜使用方法＞
次に、本実施例に係る展示器具５１の使用方法を説明する。背面板５３の上に写真１０を置く際、写真１０が滑り止め部５４を構成する複数の矩形の線のうち何れの線に沿うように置く。これにより、写真１０を鑑賞に適した状態となる位置に容易に位置合わせをすることが可能になる。
【００３５】
＜効果＞
以上により、本変形例に係る展示器具５１によれば、収容する写真１０の遊動を抑制し且つ収容する写真１０の位置合わせを容易にすることが可能になる。なお、本発明は、位置合わせ用の矩形の線の他、摩擦材を企業ロゴの形などに印刷してもよい。企業ロゴの形をした摩擦材が印刷されていることにより、展示器具５１をノベルティ商品としても活用
することが可能となる。
【実施例３】
【００３６】
図７は、上述した実施例１の変形例に係る展示器具１０１の斜視図である。上述した実施例１や実施例２では、固定部材４、滑り止め部５４が、雄ネジ６と雌ネジ７とによって構成されている。しかし、本発明は、これらに限られるものではない。すなわち、図７において示すように、フレーム状の固定部材（フレーム１０２）に嵌めることにより、正面板２を背面板３に固定するようにしてもよい。本変形例によれば、展示器具１０１内に収容された写真１０がフレーム１０２内で浮いたように見えるため、写真１０の美感が高まる。
【実施例４】
【００３７】
図８は、上述した実施例４の変形例に係る展示器具１５１を分解した場合の斜視図である。図８において示すように、本変形例に係る展示器具１５１は、フレーム１５２や保護ガラス１５３、背面板１５４を有している。
【００３８】
上述した実施例３においては、滑り止め部が背面板に印刷されていたが、本変形例に係る滑り止め１５５は、背面板１５４と略同一の大きさと形状を有し且つシート状に構成されており、背面板１５４の上に載せる台紙のように構成されている。そして、写真１０を収容する際は、滑り止め１５５の上に写真１０を載せた状態でこれらを保護ガラス１５３と背面板１５４との間に挟持させ、フレーム１５２に収容する。
【００３９】
本変形例に係る展示器具１５１によれば、収容する写真１０の位置を所望の位置に配置することが可能であり、且つ、展示器具１５１内で遊動を抑制することが可能になる。
【図面の簡単な説明】
【００４０】
【図１】実施例１に係る展示器具の斜視図。
【図２】実施例１に係る展示器具のＡ−Ａ断面図。
【図３】実施例１に係る展示器具の斜視図。
【図４】実施例１に係る展示器具の断面図。
【図５】実施例２に係る展示器具の斜視図。
【図６】実施例２に係る展示器具の斜視図。
【図７】実施例３に係る展示器具の斜視図。
【図８】実施例４に係る展示器具の斜視図。
【符号の説明】
【００４１】
１、５１、１０１、１５１・・・展示器具
２、５２・・・・・・・・・・・正面板
３、５３、１５４・・・・・・・背面板
４・・・・・・・・・・・・・・固定部材
５、５４・・・・・・・・・・・滑り止め部
６・・・・・・・・・・・・・・雄ネジ
７、７Ａ・・・・・・・・・・・雌ネジ
８・・・・・・・・・・・・・・基層
９・・・・・・・・・・・・・・突起
１０・・・・・・・・・・・・・写真
１１・・・・・・・・・・・・・被鑑賞面
１２・・・・・・・・・・・・・穴
１０２、１５２・・・・・・・・フレーム
１５３・・・・・・・・・・・・保護ガラス
１５５・・・・・・・・・・・・滑り止め
【図１】
2008055111.tif 000003
【図２】
2008055111.tif 000004
【図３】
2008055111.tif 000005
【図４】
2008055111.tif 000006
【図５】
2008055111.tif 000007
【図６】
2008055111.tif 000008
【図７】
2008055111.tif 000009
【図８】
2008055111.tif 000010